(57)【要約】【課題】、手摺に積極的に利用客の手を添えさせ、また把持を促す効果を発揮することを可能とする乗客コンベアの移動手摺の提供。【解決手段】本発明は、枠内を循環移動する複数のステップと連動して動く２本の手摺の表面に著名人、偉人、有名人等の実物大の手摺を把持している人の手形を配置し、また手形周辺に名前を記載する構成とすることによって、利用客に手形に積極的に手を添えさせ、手摺を把持させるようにした。【選択図】図１
2016199336.tif 000002
【特許請求の範囲】
【請求項１】
ステップと連動して動く無端ベルト状の乗客コンベアの移動手摺であって、前記手摺の表面に、人の手形が複数個所に設置されていることを特徴とする乗客コンベアの移動手摺。
【請求項２】
前記人の手形は、有名人、偉人、著名人の実寸大の大きさの手形であることを特徴とする請求項１に記載の乗客コンベアの移動手摺。
【請求項３】
前記人の手形の基となった人物の名前が設置されていることを特徴とする請求項１または請求項２に記載の乗客コンベアの移動手摺。
【請求項４】
前記人の手形はステップの進行方向に対して、前記手形の指部を配置させ、前記手形の指部の先に前記名前があり、ステップの枚数に対して１対１となるように設置されていることを特徴とする請求項３に記載の乗客コンベアの移動手摺。
【請求項５】
前記人の手形は裏面に粘着層を有する長尺フィルム材により構成されており、前記手摺は前記長尺フィルム材によって表面を覆われていることを特徴とする請求項１に記載の乗客コンベアの移動手摺。
【請求項６】
前記人の手形は、裏面に粘着層を有するシール材と、フィルム材により構成されており、前記シール材と、前記フィルムにより構成された前記人の手形を前記手摺に圧接することで前記シール材のみが前記人の手形として貼り付けられることを特徴とする請求項１に記載の乗客コンベアの移動手摺。
【請求項７】
前記人の手形は、前記手摺の製造時に前記手形の型を圧することで成形されており、前記手形が立体的に構成されていることを特徴とする請求項１に記載の乗客コンベアの移動手摺。
【発明の詳細な説明】
【技術分野】
【０００１】
本発明は、ステップの進行方向と連動して動くエスカレーターや動く歩道などの乗客コンベアの移動手摺に関する。
【背景技術】
【０００２】
乗客コンベアの一種であるエスカレーター１は、図３に示すように建築構造物の上階床と下階床との間に跨って設置された図示しない枠体と、この枠体内を循環移動する複数のステップ１５と２本の無端状の手摺１０とを備える。手摺１０は、図示しない手摺駆動装置によって手摺１０とステップ１５とは同一方向かつ同一速度で連続的に循環移動する。ここで、エスカレーター１の運転中は、安全装置または非常停止ボタンの使用等によりエスカレーターが停止すると利用客が転倒する可能性がある。その際に、利用客が手摺を把持しておれば、転倒の可能性は低くなる。しかしながら、この手摺は、使用状況によっては汚れなどによる不潔感が生じる場合があり、特に長年使用している手摺に至っては好んで把持するには至らない状況も発生する。
【０００３】
そこで、手摺の不潔感を無くし、手摺を把持させる為に特許文献１、特許文献２のような技術が考案されている。これらの技術は酸化チタン等の光触媒活性作用を持つ物質を手摺に配合させ、表面を強力な酸化力により抗菌する技術である。しかしこれらの技術は手摺表面は抗菌されるが、利用客が見た目上で判断するのは難しく、手摺を積極的に把持させるには至らないという課題があった。
【０００４】
この様なことを踏まえ、特許文献３が考案されている。これは、手摺表面に所定図柄を複数所定の位置に配置する技術である。
【先行技術文献】
【特許文献】
【０００５】
【特許文献１】特開２００１−２７８５７３号公報
【特許文献２】実用新案登録第３０４４４２６号公報
【特許文献３】実用新案登録第３１８６５７５号公報
【発明の概要】
【発明が解決しようとする課題】
【０００６】
特許文献３に記載された技術は、キャラクターや果物、ロゴマーク等を手摺表面に複数所定の位置に配置させるだけのものであり、目には留まるもののエスカレーター手摺を積極的に把持させるには至らないという課題があった。
【０００７】
本発明の目的は、上記の課題を解決し、手摺に積極的に利用客の手を添えさせ、また把持を促す効果を発揮することを可能とする乗客コンベアの移動手摺を提供することにある。
【課題を解決するための手段】
【０００８】
前記目的を達成するために、本発明に係る乗客コンベアの移動手摺は、ステップと連動して動く無端ベルト状の乗客コンベアの移動手摺であって、前記手摺の表面に、人の手形が複数個所に設置されていることを特徴としている。
【発明の効果】
【０００９】
本発明に係る乗客コンベアの移動手摺は、利用客が手を重ねたくなるような手形を手摺上に配置することで、利用客に積極的に手摺に手を添えさせ、また把持させることができるので、利用客を安全に目的地まで輸送することが可能になる。
【図面の簡単な説明】
【００１０】
【図１】本発明に係る乗客コンベアの移動手摺の実施例１であるエスカレーターの手形付手摺の概略構成を示す図である。
【図２】本発明に係る乗客コンベアの移動手摺の実施例１であるエスカレーターの手形付手摺を把持している利用客の左腕部周辺の構成を示す図である。
【図３】本発明に係る乗客コンベアの移動手摺の実施例１が設けられるエスカレーターの全体構成を示す図である。
【発明を実施するための形態】
【実施例１】
【００１１】
本発明は、乗客コンベア、例えばエスカレーター１に用いられている手摺１０の表面に、等間隔またはステップ１５と連動する位置に実物大の名前２５付き手形２０が配置されていることを特徴とする。以下にエスカレーターに用いられる手摺における本発明の実施例１を図１〜３を用いて説明する。
【００１２】
図３は、本発明が搭載されたエスカレーターの全体構成を示す図である。乗客コンベアの一種であるエスカレーター１は、図３に示すように、建築構造物の上階床と下階床との間に跨って設置された図示しない枠体と、この枠体内を循環移動する複数のステップ１５と２本の無端状の手摺１０とを備える。手摺１０は、図示しない手摺駆動装置によって手摺１０とステップ１５とが同一方向かつ同一速度で連続的に循環移動する。
【００１３】
次に、手摺１０に設ける手形２５について詳細に説明する。手形２０は、手摺１０の上面に設けられており、この手形２０は、著名人、偉人、有名人等の人の手形２０とする。またその手形２０の大きさは、基になった人の実寸大とする。さらにその手形２０に対して、手形２０周辺に基になった人の名前２５を配置する。また、名前２５は、ステップ１５の進行方向に対して手形２０の指部を配置させ、その先に名前２５を配置する。また、手形２０の配置間隔は、全ての利用客が手形２０に手を添えることができるようにするため、ステップ１５の枚数に対して、ステップ１５と手形２０が、１対１になる様に配置させることが好ましい。しかし、手形２０の配置間隔は、特に限定するものではなく、ステップ１５と手形２０が１対１でなくてもよい。例えばステップ１５の枚数に対して、ステップ１５と手形２０を２対１でもよい。
【００１４】
次に、手形２０を手摺１０に設ける方法を説明する。本実施例では、手摺１０の製造現場において、手形２０を長尺フィルムに転写し、その長尺フィルムで手摺１０全体を覆うことにより手形２０を設置させることができる。この手形２０の設置方法は、手摺１０を製造する段階で行う方法の他に、手形２０を設置する段階で行うことで、エスカレーター１の施工現場では、従来の施工方法での作業が可能である。また、すでに設置された手摺１０に対して設けてもよい。
【００１５】
このように手摺１０の上に手形２０を設けたことにより、エスカレーター１の利用客に手摺１０上の手形２０の人の名前２５を認識させることにより、利用客に手摺１０を積極的に把持させることができるため、エスカレーター１の利用客を目的地まで安全に移送可能となる。
【実施例２】
【００１６】
実施例１では、手形２０の設置方法として、長尺フィルムを用いて手摺１０を覆うことによって手形２０を設置したが、実施例２ではフィルムの裏面に手形２０に成形されているシール材を塗布し、フィルムを手摺１０に圧着し、手形２０を貼り付ける機構とした点が実施例１と比較した場合の変更点である。
【００１７】
このように手摺１０の上に手形２０を設けたため、実施例１と同様にエスカレーター１の利用客に手摺１０を積極的に把持させることができるため、エスカレーター１の利用客を目的地まで安全に移送可能だけでなく、現地で臨時的かつ容易に手摺１０に手形２０を設置することも可能であり、また、手形２０を貼り付けるだけでなく、手形２０をはがすことによって容易に取り外すことも可能である。
【実施例３】
【００１８】
実施例１及び２では、手形２０の設置方法として、フィルムやシール材を貼り付けることで手形２０を設置しているが、実施例３では手摺１０の表面に立体的に成形させる機構とした点が実施例１及び２と比較した場合の変更点である。手摺１０は、その製造段階において、ゴムやウレタンなどの合成樹脂材料により成形されている。その手摺１０を成形する際に、手形２０の型を圧接することで手形２０は手摺１０上に立体的に成形される。
【００１９】
このように手摺１０の上に手形２０を設けたため、エスカレーター１の利用客に手摺１０を積極的に把持させることができるため、エスカレーター１の利用客を目的地まで安全に移送可能だけでなく、連続的にエスカレーター１が利用されても、手摺１０に成形された手形２０は磨耗すること無く、また湿度等により剥がれることがないため、耐候性が優れている。
【符号の説明】
【００２０】
１    エスカレーター（乗客コンベア）
１０  手摺
１５  ステップ
２０  手形
２５  名前
３０  利用者の左腕
【図１】
2016199336.tif 000003
【図２】
2016199336.tif 000004
【図３】
2016199336.tif 000005